【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
被検体内に挿通可能な細長な挿入部と、
低干渉光を発生する光源と、
前記挿入部に挿通され、前記挿入部の先端側の端面から前記被検体に前記低干渉光を出射すると共に、前記被検体より反射された反射光を検出するための１つのシングルモードファイバからなる導光手段と、
前記シングルモードファイバより出射した前記低干渉光を前記被検体に対し走査するため、前記挿入部の先端側に配置されたシリコン基板上に形成された少なくとも１つ以上の光走査手段と、
前記シングルモードファイバより出射した前記低干渉光を前記被検体に集光し、また、前記被検体からの反射光を検出するため、前記挿入部の先端側に配置された少なくとも１つ以上のレンズと、
前記シングルモードファイバで検出した前記被検体からの前記反射光と前記光源より生成した基準光とを干渉させる干渉手段と、
前記干渉手段による干渉成分を電気信号に変換して検出する干渉光検出手段と、
前記基準光側の光路長を変化させる光路長変化手段と、
前記電気信号に対する信号処理を行い、少なくとも前記被検体の深部方向の断層像を構築する信号処理手段と、
を備えたことを特徴とする光断層イメージング装置。
【請求項２】
前記光路長変化手段は、前記挿入部の先端部に配置されることを特徴とする請求項１に記載の光断層イメージング装置。
【請求項３】
被検体内に挿通可能な細長な挿入部と、
低干渉光を発生する光源と、
前記挿入部に挿通され、前記挿入部の先端側の端面から前記被検体に前記低干渉光を出射すると共に、前記被検体より反射された反射光を検出するための１つのシングルモードファイバからなる導光手段と、
前記シングルモードファイバより出射した前記低干渉光を前記被検体に対し走査するため、前記挿入部の先端側に配置された少なくとも１つ以上の光走査手段と、
前記シングルモードファイバより出射した前記低干渉光を前記被検体に集光し、また、前記被検体からの反射光を検出するため、前記挿入部の先端側に配置された少なくとも１つ以上のレンズと、
前記被検体からの前記反射光と前記光源より生成した基準光とを干渉させる前記挿入部に配置された干渉手段と、
前記干渉手段による干渉成分を電気信号に変換して検出する前記挿入部に配置された干渉光検出手段と、
前記基準光側の光路長を変化させる前記挿入部に配置された光路長変化手段と、
前記電気信号に対する信号処理を行い、少なくとも前記被検体の深部方向の断層像を構築する信号処理手段と、
を備えたことを特徴とする光断層イメージング装置。
【請求項４】
被検体内に挿通可能な細長な挿入部と、
前記挿入部に配置された低干渉光を発生する光源と、
前記光源より出射した前記低干渉光を前記被検体に対し走査するため、前記挿入部の先端側に配置された少なくとも１つ以上の光走査手段と、
前記光源より出射した前記低干渉光を前記被検体に集光し、また、前記被検体からの反射光を検出するため、前記挿入部の先端側に配置された少なくとも１つ以上のレンズと、
前記被検体からの前記反射光と前記光源より生成した基準光とを干渉させる前記挿入部に配置された干渉手段と、
前記干渉手段による干渉成分を電気信号に変換して検出する前記挿入部に配置された干渉光検出手段と、
前記基準光側の光路長を変化させる前記挿入部に配置された光路長変化手段と、
前記電気信号に対する信号処理を行い、少なくとも前記被検体の深部方向の断層像を構築する信号処理手段と、
を備えたことを特徴とする光断層イメージング装置。
【請求項５】
生体内に進入可能な大きさのカプセル状の容器内に配置された低干渉光を発生する光源と、
前記光源より出射した前記低干渉光を前記挿入部の先端に導光するため前記容器内に配置された少なくとも１つ以上の光走査手段と、
前記光源より出射した前記低干渉光を前記被検体に集光し、また、前記被検体からの反射光を検出するため、前記容器内に配置された少なくとも１つ以上のレンズと、
前記被検体からの前記反射光と前記光源より生成した基準光とを干渉させる干渉手段と、
前記干渉手段による干渉成分を電気信号に変換して検出する干渉光検出手段と、
前記基準光側の光路長を変化させる前記容器内に配置された光路長変化手段と、
前記光走査手段及び前記光路長変化手段を制御する前記容器内に配置された制御手段と、
前記電気信号及び前記制御手段への制御信号を送受信する前記容器内に配置された第１の通信手段と、
前記容器の外部に配置され、前記第１の通信手段より送受信した信号を送受信する第２の通信手段と、
前記第２の通信手段と接続し、前記電気信号と前記制御信号に対し信号処理を行い、少なくとも前記被検体の深部方向の断層像を構築する信号処理手段と、
を備えたことを特徴とする光断層イメージング装置。
【手続補正２】
【補正対象書類名】明細書
【補正対象項目名】００１１
【補正方法】変更
【補正の内容】
【００１１】
【課題を解決するための手段】
請求項１に記載の発明は、光断層イメージング装置は、被検体内に挿通可能な細長な挿入部と、低干渉光を発生する光源と、前記挿入部に挿通され、前記挿入部の先端側の端面から前記被検体に前記低干渉光を出射すると共に、前記被検体より反射された反射光を検出するための１つのシングルモードファイバからなる導光手段と、前記シングルモードファイバより出射した前記低干渉光を前記被検体に対し走査するため、前記挿入部の先端側に配置されたシリコン基板上に形成された少なくとも１つ以上の光走査手段と、前記シングルモードファイバより出射した前記低干渉光を前記被検体に集光し、また、前記被検体からの反射光を検出するため、前記挿入部の先端側に配置された少なくとも１つ以上のレンズと、前記シングルモードファイバで検出した前記被検体からの前記反射光と前記光源より生成した基準光とを干渉させる干渉手段と、前記干渉手段による干渉成分を電気信号に変換して検出する干渉光検出手段と、前記基準光側の光路長を変化させる光路長変化手段と、前記電気信号に対する信号処理を行い、少なくとも前記被検体の深部方向の断層像を構築する信号処理手段とを備えて構成され、前記挿入部の先端側に配置されたシリコン基板上に形成された少なくとも１つ以上の前記光走査手段により、前記シングルモードファイバより出射した前記低干渉光を前記被検体に対し走査することで、体腔内に挿入するプローブの細径化を図ると共に、高分解能の光断層像を得ることを可能とする。
請求項３に記載の発明は、被検体内に挿通可能な細長な挿入部と、低干渉光を発生する光源と、前記挿入部に挿通され、前記挿入部の先端側の端面から前記被検体に前記低干渉光を出射すると共に、前記被検体より反射された反射光を検出するための１つのシングルモードファイバからなる導光手段と、前記シングルモードファイバより出射した前記低干渉光を前記被検体に対し走査するため、前記挿入部の先端側に配置された少なくとも１つ以上の光走査手段と、前記シングルモードファイバより出射した前記低干渉光を前記被検体に集光し、また、前記被検体からの反射光を検出するため、前記挿入部の先端側に配置された少なくとも１つ以上のレンズと、前記被検体からの前記反射光と前記光源より生成した基準光とを干渉させる前記挿入部に配置された干渉手段と、前記干渉手段による干渉成分を電気信号に変換して検出する前記挿入部に配置された干渉光検出手段と、前記基準光側の光路長を変化させる前記挿入部に配置された光路長変化手段と、前記電気信号に対する信号処理を行い、少なくとも前記被検体の深部方向の断層像を構築する信号処理手段と、を備えたことを特徴とする。
請求項４に記載の発明は、  被検体内に挿通可能な細長な挿入部と、前記挿入部に配置された低干渉光を発生する光源と、前記光源より出射した前記低干渉光を前記被検体に対し走査するため、前記挿入部の先端側に配置された少なくとも１つ以上の光走査手段と、前記光源より出射した前記低干渉光を前記被検体に集光し、また、前記被検体からの反射光を検出するため、前記挿入部の先端側に配置された少なくとも１つ以上のレンズと、前記被検体からの前記反射光と前記光源より生成した基準光とを干渉させる前記挿入部に配置された干渉手段と、前記干渉手段による干渉成分を電気信号に変換して検出する前記挿入部に配置された干渉光検出手段と、前記基準光側の光路長を変化させる前記挿入部に配置された光路長変化手段と、前記電気信号に対する信号処理を行い、少なくとも前記被検体の深部方向の断層像を構築する信号処理手段と、を備えたことを特徴とする。
請求項５記載の発明は、生体内に進入可能な大きさのカプセル状の容器内に配置された低干渉光を発生する光源と、前記光源より出射した前記低干渉光を前記挿入部の先端に導光するため前記容器内に配置された少なくとも１つ以上の光走査手段と、前記光源より出射した前記低干渉光を前記被検体に集光し、また、前記被検体からの反射光を検出するため、前記容器内に配置された少なくとも１つ以上のレンズと、前記被検体からの前記反射光と前記光源より生成した基準光とを干渉させる干渉手段と、前記干渉手段による干渉成分を電気信号に変換して検出する干渉光検出手段と、前記基準光側の光路長を変化させる前記容器内に配置された光路長変化手段と、前記光走査手段及び前記光路長変化手段を制御する前記容器内に配置された制御手段と、前記電気信号及び前記制御手段への制御信号を送受信する前記容器内に配置された第１の通信手段と、前記容器の外部に配置され、前記第１の通信手段より送受信した信号を送受信する第２の通信手段と、前記第２の通信手段と接続し、前記電気信号と前記制御信号に対し信号処理を行い、少なくとも前記被検体の深部方向の断層像を構築する信号処理手段と、を備えたことを特徴とする。